(57)【要約】【課題】  装備する人の装備品の装備の迅速性を確保しつつ一のロッカー当り三人以上の装備品を収納することができるロッカーを提供する。【解決手段】  側面に開口部26が設けられているロッカー本体12と、ロッカー本体12に水平方向へ回転可能に支持され開口部26に表出する表面を三以上有する回転扉14と、回転扉14の表面に設けられ消防用装備品を掛け得る掛金具34と、回転扉14の表面に設けられ消防用装備品を収納可能な収納部42と、回転扉14の表面が開口部26へ表出した際に回転扉14を固定するロック機構60と、ロッカー本体12に設けられロッカー本体12の設置面に対する高さ及び傾きを調節可能な調節機構80とを備えてなる。【選択図】        図１
2005046312.tif 000002
【特許請求の範囲】
【請求項１】
側面に開口部が設けられているロッカー本体と、該ロッカー本体に水平方向へ回転可能に支持され前記開口部に表出する装備品を収納する表面を三以上有する回転扉とを備えることを特徴とするロッカー。
【請求項２】
前記回転扉の表面には装備品を収納可能な収納部が設けられていることを特徴とする請求項１記載のロッカー。
【請求項３】
前記回転扉の表面は凹状に湾曲して形成されていることを特徴とする請求項１又は２記載のロッカー。
【請求項４】
前記ロッカー本体及び前記回転扉の表面はヘアライン仕上されていることを特徴とする請求項１乃至３の何れか１項記載のロッカー。
【請求項５】
前記ロッカー本体及び前記回転扉の表面は汚れ防止処理されていることを特徴とする請求項１乃至３の何れか１項記載のロッカー。
【請求項６】
前記回転扉の表面が前記開口部へ表出した際に前記回転扉を固定する固定手段を有することを特徴とする請求項１乃至５の何れか１項記載のロッカー。
【請求項７】
前記固定手段は、前記ロッカー本体の前記開口部端部に設けられその端面に対して垂直方向に移動可能に弾性部材で付勢されている突起部と、前記回転扉の端面に前記突起部が侵入可能に形成されている凹部とを有することを特徴とする請求項６記載のロッカー。
【請求項８】
前記突起部は前記ロッカー本体の素材とは異なる金属素材から形成され、少なくとも前記突起部が接触する前記回転扉の表面に表面硬化処理がされていることを特徴とする請求項７記載のロッカー。
【請求項９】
前記ロッカー本体は前記ロッカー本体の設置面に対する高さ及び傾きを調節可能な調節機構を有することを特徴する請求項１乃至８の何れか１項記載のロッカー。
【請求項１０】
前記調節機構は、ボルトと台座とを有し前記ボルトと前記台座とが連結されている前記ボルト側が球面体であって前記台座側が球面座である脚と、前記ロッカー本体の下面に設けられている雌螺子部とから構成されていることを特徴とする請求項９記載のロッカー。
【発明の詳細な説明】
【技術分野】
【０００１】
本発明は、側面に開口部を有するロッカー本体と、ロッカー本体に水平方向へ回転可能に支持されている回転扉とを備えるロッカーに関する。
【背景技術】
【０００２】
従来、図６に示すように、側面に開口部106を有するロッカー本体102と、ロッカー本体102に水平方向へ回転可能に支持されている回転扉104とを備えるロッカー100が知られている。回転扉104は、板状に形成されロッカー本体102の天板108及び底板110の開口部106側端部中央を回転中心として水平方向へ回転可能にロッカー本体102に支持されている。回転扉104の表面112及び裏面114には、消防用装備品を掛け得る掛金具116が設けられている。掛金具116に掛ける消防用装備品としては、防火衣118、防火ヘルメット120、ヘルメット122、帽子124及び酸素ボンベー125等が挙げられる。また、回転扉104の表面112及び裏面114には、消防用装備品を収納する収納部126が設けられている。収納部126に収納される消防用装備品としては、長靴128等が挙げられる。かかる構成において、消防隊員は出動の際、回転扉104の表面112の掛金具116に掛けられている消防用装備品及び収納部126に収納されている消防用装備品を装備する。そして、回転扉104を回転させて回転扉104の裏面114をロッカー本体102の開口部106に表出させ次の出動の準備をする。従って、ロッカー100によれば、消防隊員は出動の際、迅速に消防用装備品を装備することができる。
【発明の開示】
【発明が解決しようとする課題】
【０００３】
ところで、消防隊員が一度に出動する人数は限られている。このため、一度に出動する消防隊員が迅速に消防用装備品を装備するため必要となる上記ロッカーの数も限られている。
【０００４】
しかしながら、上記ロッカーでは、一のロッカー当り消防隊員二人分の消防用装備品しか収納することができないため、大勢の消防隊員の消防用装備品を収納するため消防署に一度に出動する人数以上の上記ロッカーを設置する広いスペースが必要であるという問題点がある。
【０００５】
本発明は、このような状況を鑑みてなされたもので、装備する人の装備品の装備の迅速性を確保しつつ一のロッカー当り三人以上の装備品を収納することができるロッカーを提供することを目的とする。
【課題を解決するための手段】
【０００６】
前述の課題を解決するため、本発明に係るロッカーは、次のような手段を採用する。
【０００７】
即ち、請求項１記載の発明は、側面に開口部が設けられているロッカー本体と、該ロッカー本体に水平方向へ回転可能に支持され前記開口部に表出する装備品を収納する表面を三以上有する回転扉とを備えることを特徴とする。
【０００８】
また、請求項２記載の発明は、請求項１又は２記載の発明において、前記回転扉の表面には装備品を収納可能な収納部が設けられていることを特徴とする。
【０００９】
また、請求項３記載の発明は、請求項２記載の発明において、前記回転扉の表面は凹状に湾曲して形成されていることを特徴とする。
【００１０】
また、請求項４記載の発明は、請求項１乃至３の何れか１項記載の発明において、前記ロッカー本体及び前記回転扉の表面はヘアライン仕上されていることを特徴とする。
【００１１】
また、請求項５記載の発明は、請求項１乃至３の何れか１項記載の発明において、前記ロッカー本体及び前記回転扉の表面は汚れ防止処理されていることを特徴とする。
【００１２】
また、請求項６記載の発明は、請求項１乃至５の何れか１項記載の発明において、前記回転扉の表面が前記開口部へ表出した際に前記回転扉を固定する固定手段を有することを特徴とする。
【００１３】
また、請求項７記載の発明は、請求項６記載の発明において、前記固定手段は、前記ロッカー本体の前記開口部端部に設けられその端面に対して垂直方向に移動可能に弾性部材で付勢されている突起部と、前記回転扉の端面に前記突起部が侵入可能に形成されている凹部とを有することを特徴とする。
【００１４】
また、請求項８記載の発明は、請求項７記載の発明において、前記突起部はロッカー本体とは異なる金属素材から形成され、少なくとも前記突起部が接触する前記回転扉の表面に表面硬化処理がされていることを特徴とする。
【００１５】
また、請求項９記載の発明は、請求項１乃至８の何れか１項記載の発明において、前記ロッカー本体は前記ロッカー本体の設置面に対する高さ及び傾きを調節可能な調節機構を有することを特徴する。
【００１６】
また、請求項１０記載の発明は、請求項９記載の発明において、前記調節機構は、ボルトと台座とを有し前記ボルトと前記台座とが連結されている前記ボルト側が球面体であって前記台座側が球面座である脚と、前記ロッカー本体の下面に設けられている雌螺子部とから構成されていることを特徴とする。
【発明の効果】
【００１７】
請求項１記載の発明によれば、まず、装備する人がロッカー本体の開口部に表出している回転扉の表面の装備品を装備する。そして、回転扉を回転させて回転扉に次の表面をロッカー本体の開口部に表出させ次に装備の準備をする。以上の動作が繰り返し行われるため、装備する人が迅速に装備品を装備することができると共に、一のロッカー当り三人以上の装備品を収納することができる。従って、装備する人の装備品の装備の迅速性を確保しつつ、大勢の人の装備品を収納するために必要となるロッカーの本数を減らすことができロッカーを設置するためのスペースを削減することができる。
【００１８】
また、請求項２記載の発明によれば、収納部に収納されている装備品を迅速に装備することができる。
【００１９】
また、請求項３記載の発明によれば、ロッカー本体の内壁から回転扉の表面までのスペースを広げることができ装備品のためのスペースを大きくすることができる。
【００２０】
また、請求項４記載の発明によれば、ロッカーに高級感を付与して商品価値を向上することができる。
【００２１】
また、請求項５記載の発明によれば、ロッカーに汚れが付着することを未然に防止することができる。また、ロッカーに汚れが付着した場合に汚れの拭き取りを容易にすることができる。
【００２２】
また、請求項６記載の発明によれば、装備品を装備する際に回転扉が回転することがなく、装備品の装備を容易にすることができる。
【００２３】
また、請求項７記載の発明によれば、ロッカー本体に設けられている突起部が回転扉に設けられている凹部に侵入することによって回転扉を固定することができる。
【００２４】
また、請求項８記載の発明によれば、ロッカー本体と突起部とがかじることを防止すると共に突起部と回転扉との接触による回転扉の摩耗を防止することができる。また、回転扉の回転をスムーズでなめらかにすることができる。
【００２５】
また、請求項９記載の発明によれば、設置面に歪みがある場合においてもロッカー本体にぐらつきが生じることなくロッカー本体を設置面に設置することができる。
【００２６】
また、請求項１０記載の発明によれば、ボルトを回転することによってロッカー本体の設置面に対する高さを調節することができ、ボルトと台座とによってロッカー本体の設置面に対する傾きを自在に調節することができる。
【発明を実施するための最良の形態】
【００２７】
以下、本発明に係るロッカーの実施の形態を図面に基づいて説明する。
【００２８】
図１は、本発明の一実施形態である消防署に設置される消防隊員が出動する際に消防用装備品を装備するためのロッカー10の斜視図である。図２は、ロッカー10の水平断面図である。ロッカー10は、ロッカー本体12及びロッカー本体12に水平方向に回転可能に支持されている回転扉14から概略構成されている。
【００２９】
ロッカー本体12は、天板16、右側板20及び左側板22から構成され箱状に形成されている。ロッカー本体12には、正面に開口部26が設けられている。開口部26は、天板16、右側板20、左側板22で囲まれる正面の開口である。右側板20及び左側板22の前端部は、後述するロック機構で回転扉14をロック可能なように所定距離だけ内側に延びている。ロッカー本体12の素材としては、例えば、ステンレス鋼板が用いられる。尚、ステンレス鋼板は、SPCスチールに比べ、水等による錆、腐食に対して強い特性を有している。ロッカー本体12の表面には、ヘアライン仕上又は汚れ防止処理（シリコンスプレー処理又はクリヤー塗装）が施されている。尚、ヘアライン仕上とは、構成物の表面に同一方向へ多数の極細溝を刻む表面処理のことである。シリコンスプレー処理とは、構成物の表面に液状のシリコンを噴霧してシリコン膜を成膜する表面処理のことである。
【００３０】
回転扉14は、水平方向に回転する際にロッカー本体12の内壁に接触しないように形成されている。回転扉14は、第１の板24、第２の板26及び第３の板28を有している。第１の板24、第２の板26及び第３の板28は、それぞれ表面がロッカー本体12の開口部26に表出可能なように方形状に形成されていると共に表面が凹状に湾曲して形成されている。第１の板24、第２の板26及び第３の板28は、それぞれ表面が外側となるように三角柱状に組み合わされている。第１の板24、第２の板26及び第３の板28は、それぞれの上端部が接合板30によって、及びそれぞれの下端部が接合板32によって接合されている。回転扉14は、水平方向に回転することによって第１の板24、第２の板26又は第３の板28の表面がロッカー12の開口部26に表出する。第１の板24、第２の板26及び第３の板28の素材としては、例えば、ステンレス鋼板が用いられる。第１の板24、第２の板26及び第３の板28の表面には、ヘアライン仕上又は汚れ防止処理（シリコンスプレー処理又はクリヤー塗装）が施されている。
【００３１】
第１の板24、第２の板26及び第３の板28の表面には、消防用装備品を掛け得る掛金具34が接合されている。掛金具34は金属板又は金属棒を第１の板24、第２の板26及び第３の板28の表面に対して垂直方向よりやや上向きとなるように屈曲して形成されている。掛金具34に掛けられる消防用装備品としては、防火衣35、防火ヘルメット36、ヘルメット37、帽子38及び酸素ボンベー39等が挙げられる。
【００３２】
第１の板24、第２の板26及び第３の板28の下部には、それぞれ収納部42が設けられている。収納部42は、回転扉14が水平方向に回転する際にロッカー本体12の内壁に接触しないように形成されている。収納部42は、側板44と底板46とから構成されている。側板44は、鉛直方向視で屈曲部が鈍角となるように台形状に屈曲して形成され左右両端が第１の板24、第２の板26及び第３の板28のそれぞれの表面に接合されている。底板46は、側板44の下端面の形状及び第１の板24、第２の板26又は第３の板28の表面の湾曲形状に合致して形成され端部で側板44の下端面に接合されている。側板44及び底板46には、多数の孔が設けられている。側板44及び底板46の素材としては、例えば、ステンレス鋼板が用いられる。収納部42には、ゴム長靴又は皮長靴48等の消防用装備品が収納されている。
【００３３】
回転扉14は、第１の板24、第２の板26又は第３の板28の表面がロッカー本体12の開口部26に表出するようにロッカー本体12に水平方向へ回転可能に支持部50で支持されている。支持部50は、回転扉14の水平方向の中心であって回転扉14の上端部とロッカー本体12の天板16の下面との間及び回転扉14の下端部とロッカー本体12の底部材の上面との間にそれぞれ設けられている。図３は、支持部50を示す鉛直断面図である。支持部50は、ボールスラストベアリング52、ロッカー本体側金具54及び回転扉側金具56から構成されている。ボールスラストベアリング52は、ロッカー本体側金具54と回転扉側金具56との間に設けられている。ロッカー本体側金具54は、ロッカー本体12の天板16の下面及びロッカー本体12の底部材の上面にそれぞれ固定されている。回転扉側金具56は、回転扉14の上端部に設けられている接合板30の上面及び回転扉14の下端部に設けられている接合板32の下面にそれぞれ固定されている。ロッカー本体側金具54は、回転扉14の回転軸方向の荷重をボールスラストベアリング52で受けるように形成されている。回転扉側金具56は、ボールスラストベアリング52の外周面でボールスラストベアリング52の水平方向の変位を規制するように突出して形成されている。また、ロッカー本体側金具54は、回転扉側金具56の突出部を覆うように外周部が回転扉側14側に屈曲して形成されている。
【００３４】
回転扉14は、第１の板24、第２の板26又は第３の板28の表面がロッカー本体12の開口部26に表出した際に固定手段であるロック機構60でロックされる。図４は、ロック機構60を示す水平断面図である。ロック機構60は、ロッカー本体12の右側板20及び左側板22の開口部26端部に設けられその端面に対して垂直方向に移動可能に弾性部材であるねじりコイルバネ64で付勢されている突起部62と、回転扉14の端面に突起部62が侵入可能に形成されている凹部66とを有している。突起部62は、鉛直方向視で先端部が円弧となるように略三角状に金属板を屈曲して形成されている。また、その水平方向両端部はロッカー本体12の右側板20又は左側板22の開口部26端面に平行にそれぞれ屈曲されている。ロッカー本体12の右側板20及び左側板22の開口部26端部には中空部68とロッカー本体12の開口部26端面に開口部70が設けられている。突起部62は、開口部70からロッカー本体12の開口部26側へ突出すると共に水平方向両端部で中空部68の開口部70側端面に当接するように形成されている。中空部68には、支持板72と支持板72に固定され鉛直方向に立脚する軸74とが設けられている。ねじりコイルバネ64は、軸74に円筒部が挿入されて支持されている。ねじりコイルバネ64の両腕は、突起部62の水平方向端部に当接するように形成されている。突起部62は、回転扉14における第１の板24、第２の板26及び第３の板28とは異なる素材（例えば、真鍮）から形成されている。突起部62と接触する回転扉14の表面には、表面硬化処理が施されている。表面硬化処理としては、タフトライト処理又はSUS420J2素材等による熱処理等が挙げられる。かかるロック機構60の構成において、回転扉14が水平方向へ回転して回転扉14の端部が突起部62に当接して突起部62を押圧する。そして、突起部62はねじりコイルバネ64の付勢力に抗してロッカー本体12の中空部68の方向へ移動する。そして、回転扉14が更に回転することによって回転扉14の凹部66にねじりコイルバネ64の付勢力で突起部62が侵入して回転扉12がロックされる。また、回転扉14がロックされている状態で更に回転扉14を回転することで回転扉14の凹部66の端部が突起部62に当接して突起部62を押圧する。そして、突起部62はねじりコイルバネ64の付勢力に抗してロッカー本体12の中空部68の方向へ移動して回転扉14のロックが解除される。
【００３５】
ロッカー本体12は、底部材の四隅に設けられている調整機構80で設置面に対する高さ及び傾きが調節される。図５は、調節機構80を示す側面図である。調節機構80は、ボルト84と台座86とを有しボルト84と台座86とが連結されているボルト84側が球面体であって台座86側が球面座である脚82と、ロッカー本体12の下面である底部材に設けられている雌螺子部88とから構成されている。脚82は、ボルト84、台座86及びボルト84と台座86とを連結するビス89とから構成されている。ボルト84は、雄螺子が刻設されているボルト脚部90とボルト頭部92とを有する。ボルト頭部92は鉛直方向視で六角形に形成されている六角部94と六角部94の下面に球状に形成されている球面体部96とを有する。台座86は、ボルト84の球面体部96と当接する球面座部98と球面座部98から下方に延びる台座脚部99とを有する。ボルト84と台座86とは、台座86の球面座部98がボルト84の球面体部96の球面に沿って移動可能にビス88で連結されている。かかる調整機構80の構成において、ボルト84の六角部94に工具を挿入してボルト84を回転させることによってロッカー本体12の設置面に対する高さが調節される。また、設置面の傾きに合わせて台座86が傾くためロッカー本体12の設置面に対する傾きが自在に調節される。
【００３６】
次に、以上のように構成されたロッカー10の使用方法について説明する。
【００３７】
まず、先に出動する消防隊員が、ロッカー本体12の開口部26から表出している回転扉14における第１の板24の表面の掛金具34に掛けられている消防用装備品（例えば、防火衣35、防火ヘルメット36）を装備すると共に、第１の板24の収納部42に収納されている消防用装備品（例えば、ゴム長靴又は皮長靴48）を装備する。そして、回転扉14を回転させてロッカー本体12の開口部26に第２の板26又は第３の板28を表出させ次の出動の準備をする。次いで、次に出動する消防隊員が、第２の板26又は第３の板28表面の掛金具34に掛けられている消防用装備品（例えば、防火衣35、防火ヘルメット36）を装備すると共に、第２の板26又は第３の板28の収納部42に収納されている消防用装備品（例えば、長靴48）を装備する。そして、回転扉14を回転させてロッカー本体12の開口部26に第３の板28又は第２の板26を表出させ次の出動の準備をする。次いで、次の次に出動する消防隊員が、第３の板26又は第２の板28表面の掛金具34に掛けられている消防用装備品（例えば、防火衣35、防火ヘルメット36）を装備すると共に、第３の板28又は第２の板26の収納部42に収納されている消防用装備品（例えば、長靴48）を装備する。
【００３８】
以上、本実施形態によれば、出動する消防隊員が迅速に消防用装備品を装備することができると共に、一のロッカー10当り消防隊員三人分の消防用装備品を収納することができる。従って、出動する消防隊員の消防用装備品の装備の迅速性を確保しつつ、大勢の消防隊員の消防用装備品を収納するために必要となるロッカーの本数を減らすことができ消防署におけるロッカーを設置するためのスペースを削減することができる。
【００３９】
また、本実施形態によれば、回転扉14の第１の板24、第２の板26及び第３の板28は、回転扉14の表面が凹状に湾曲して形成されているため、回転扉14における第１の板24、第２の板26及び第３の板28の表面の掛金具34に掛けられる消防用装備品のためのスペース及び第１の板24、第２の板26及び第３の板28の収納部42に収納される消防用装備品の収納スペースを大きくすることができる。
【００４０】
また、本実施形態によれば、ロッカー本体12の表面及び回転扉14における第１の板24、第２の板26及び第３の板28の表面にヘアライン処理が施される場合には、ロッカー10に高級感を付与して商品価値を向上することができる。
【００４１】
また、本実施形態によれば、ロッカー本体12の表面及び回転扉14における第１の板24、第２の板26及び第３の板28の表面にシリコンスプレー処理又はクリヤー塗装が施される場合には、ロッカー10に汚れが付着することを未然に防止することができる。また、ロッカー10に汚れが付着した場合に汚れの拭き取りを容易にすることができる。
【００４２】
また、本実施形態によれば、回転扉14における第１の板24、第２の板26及び第３の板28に設けられている収納部42の側板44及び底板46には、多数の孔が設けられているため、ロッカー10を軽量化することができると共に、収納部42に水等が貯まることを防止することができる。
【００４３】
また、本実施形態によれば、回転扉14がロッカー本体12に水平方向へ回転可能に支持されている支持部50において、ロッカー本体側金具54は、回転扉側金具56の突出部を覆うように外周部が回転扉14側に屈曲して形成されているため、ボールスラストラストベアリング52に塵埃が混入することを防止することができる。
【００４４】
また、本実施形態によれば、回転扉14における第１の板24、第２の板26又は第３の板28の表面がロッカー本体12の開口部26に表出した際に回転扉14がロック機構60でロックされるため、消防用装備品を装備する際に回転扉14が回転することがなく、消防用装備品の装備を容易にすることができる。
【００４５】
また、本実施形態によれば、回転扉14をロックするロック機構60における突起部62は、回転扉14における第１の板24、第２の板26及び第３の板28とは異なる素材から形成されていると共に、突起部62が接触する回転扉14の表面には表面硬化処理が施されているため、回転扉14における第１の板24、第２の板26及び第３の板28と突起部62とがかじることを防止すると共に突起部62と回転扉14との接触による回転扉14の摩耗を防止することができる。また、回転扉14の回転をスムーズでなめらかにすることができる。
【００４６】
また、本実施形態によれば、ロッカー本体12の設置面に対する高さ及び傾きが調節機構80で調節されるため、設置面に歪みがある場合においてもロッカー本体12にぐらつきが生じることなく設置面に設置することができる。
【００４７】
尚、本実施形態においては、回転扉14は、三の表面を有するように構成されているが、四、五、六以上の表面を有するように構成してもよい。
【００４８】
また、本実施形態において、装備品は消防用装備品としているが、他の用途に用いられる装備品であってもよい。
【図面の簡単な説明】
【００４９】
【図１】本発明の一実施形態である消防用装備品を装備するためのロッカーの斜視図である。
【図２】図１のロッカーの水平断面図である。
【図３】図１のロッカーの支持部を示す鉛直断面図である。
【図４】図１のロッカーのロック機構を示す水平断面図である。
【図５】図１のロッカーの調節機構を示す側面図である。
【図６】従来例を示す図である。
【符号の説明】
【００５０】
10  ロッカー
12  ロッカー本体
14  回転扉
24  第１の板
26  第２の板
28  第３の板
34  掛金具
42  収納部
50  支持部
60  ロック機構
80  調節機構
【図１】
2005046312.tif 000003
【図２】
2005046312.tif 000004
【図３】
2005046312.tif 000005
【図４】
2005046312.tif 000006
【図５】
2005046312.tif 000007
【図６】
2005046312.tif 000008